(57)【要約】【課題】  設定しようとした目標照度が上限照度よりも高いかどうかを使用者が認識することができる照明装置及び照明器具を提供する。【解決手段】  被照面照度の目標値である目標照度として指示された設定時照度が、照明装置が点灯させる光源のみによって実現可能な照度の上限である上限照度Ｌｕを下回っている場合には、設定時照度を目標照度とする。一方、点Ａｓで示すように設定時照度Ｌｓが上限照度Ｌｕよりも高いときには目標照度Ｌａを上限照度Ｌｕとする。この場合、新たな目標照度Ｌａを用いた制御が開始される際には照度が設定時照度Ｌｓよりも低い上限照度Ｌｕとなることにより、使用者は、目標照度Ｌａとして設定しようとした設定時照度Ｌｓが上限照度Ｌｕよりも高かったことを認識することができる。【選択図】図１
2010033849.tif 000002
【特許請求の範囲】
【請求項１】
供給される電力に応じて光出力が変化する電気的な光源に電力を供給して点灯させる点灯部と、
前記光源の光が照射される面の照度を検出する照度検出部と、
照度検出部によって検出される照度の目標値とすべき目標照度の設定の指示を受け付ける指示入力部と、
指示入力部に受け付けられた指示に基いて目標照度を決定するとともに、照度検出部によって検出される照度を前記目標照度とするように点灯部を制御する制御部とを備え、
制御部は、前記光源のみによって実現可能な照度の最高値である上限照度よりも目標照度を高くするような指示が指示入力部に入力された場合、目標照度を上限照度とすることを特徴とする照明装置。
【請求項２】
供給される電力に応じて光出力が変化する電気的な光源に電力を供給して点灯させる点灯部と、
前記光源の光が照射される面の照度を検出する照度検出部と、
照度検出部によって検出される照度の目標値とすべき目標照度の設定の指示を受け付ける指示入力部と、
指示入力部に受け付けられた指示に基いて目標照度を決定するとともに、照度検出部によって検出される照度を前記目標照度とするように点灯部を制御する制御部とを備え、
前記光源のみによって実現可能な照度の最高値である上限照度よりも目標照度を高くするような指示が指示入力部に入力されたときに所定のエラー音を発生させるエラー音発生部を備えることを特徴とする照明装置。
【請求項３】
供給される電力に応じて光出力が変化する電気的な光源に電力を供給して点灯させる点灯部と、
前記光源の光が照射される面の照度を検出する照度検出部と、
照度検出部によって検出される照度の目標値とすべき目標照度の設定の指示を受け付ける指示入力部と、
指示入力部に受け付けられた指示に基いて目標照度を決定するとともに、照度検出部によって検出される照度を前記目標照度とするように点灯部を制御する制御部とを備え、
前記光源のみによって実現可能な照度の最高値である上限照度よりも目標照度を高くするような指示が指示入力部に入力されたときに視覚的に報知するエラー表示部を備えることを特徴とする照明装置。
【請求項４】
前記光源の光出力が最大となったときに所定の最大出力報知音を発生させる最大出力報知音発生部を備えることを特徴とする請求項１〜３のいずれか１項に記載の照明装置。
【請求項５】
制御部は、目標照度が設定される度に、目標照度の設定の指示が指示入力部に入力された時点での前記光源の光出力を設定時光出力として保持するものであって、
前記光源の光出力が設定時光出力を上回ったときに所定の光出力超過音を発生させる光出力超過音発生部を備えることを特徴とする請求項１〜４のいずれか１項に記載の照明装置。
【請求項６】
前記光源の光出力が最大となったときに視覚的に報知する最大出力表示部を備えることを特徴とする請求項１〜５のいずれか１項に記載の照明装置。
【請求項７】
制御部は、目標照度が設定される度に、目標照度の設定の指示が指示入力部に入力された時点での前記光源の光出力を設定時光出力として保持するものであって、
前記光源の光出力が設定時光出力を上回ったときに視覚的に報知する光出力超過表示部を備えることを特徴とする請求項１〜６のいずれか１項に記載の照明装置。
【請求項８】
指示入力部は、外部から送信され目標照度の設定を指示するワイヤレス信号を受信するものであることを特徴とする請求項１〜７のいずれか１項に記載の照明装置。
【請求項９】
請求項１〜８のいずれか１項に記載の照明装置と、照明装置を保持する器具本体とを備えることを特徴とする照明器具。
【発明の詳細な説明】
【技術分野】
【０００１】
本発明は、照明装置及び照明器具に関するものである。
【背景技術】
【０００２】
従来から、電気的な光源を点灯させる照明装置として、光源の光が照射される面の照度を検出する照度検出部を備え、照度検出部によって検出された検出照度を予め定められた目標照度とするように光源の光出力を変化させる照明装置が提供されている（例えば、特許文献１参照）。
【０００３】
この種の照明装置によれば、照明装置が点灯させる光源以外の太陽などの外部光源からの光（以下、「外光」と呼ぶ。）が多い昼間には光源の光出力を低くして消費電力を抑えながらも、外光が少なくなる夜間には光源の光出力を高くすることで外光の多少によらず照度を略一定に保つことができる。この種の照明装置の動作の一例を図６に示す。図６において、縦軸は検出照度であり、横軸は照明装置が点灯させる光源の光出力を示す。また、直線ａ０〜ａ３はそれぞれ照明装置が点灯させる光源の光出力と検出照度との関係を示し、直線ａ０は外光が存在しない状態を示し、直線ａ１〜ａ３は外光のみによる照度（つまり照明装置が光源を消灯させたときの検出照度）がそれぞれ異なる照度Ｌ１〜Ｌ３である状態を示す。
【特許文献１】特許第３８７７３４２号公報
【発明の開示】
【発明が解決しようとする課題】
【０００４】
上記のような照明装置において、照明装置が点灯させる光源のみで実現可能な照度、すなわち、点Ａ０で示すように外光が存在せず且つ照明装置が光源を最大の光出力Ｐｕで点灯（定格点灯）させている状態での照度（以下、「上限照度」と呼ぶ。）Ｌｕよりも高い照度が目標照度Ｌａとして設定されてしまうと、直線ａ１〜ａ３のように外光が十分に多い状態ではＬ３，Ｌ２，Ｌ１といったように外光が減少しても点Ｂ３、点Ｂ２、点Ｂ１といったように光源の光出力を高くすることにより検出照度を目標照度Ｌａに維持することができるものの、目標照度Ｌａと上限照度Ｌｕとの差（Ｌａ−Ｌｕ＝Ｌ１）を埋めることができないほど外光が減少した状態では検出照度を目標照度Ｌａに維持することができず、点Ａ０のように外光が存在しない状態では検出照度は上限照度Ｌｕまで低下してしまう。
【０００５】
上記のように、目標照度Ｌａが上限照度Ｌｕよりも高いと、外光が少ないときに照度を目標照度Ｌａに維持することができない。しかしながら、設定しようとした目標照度Ｌａが上限照度Ｌｕよりも高いかどうかを使用者が認識することは困難である。
【０００６】
本発明は、上記事由に鑑みて為されたものであり、その目的は、設定しようとした目標照度が上限照度よりも高いかどうかを使用者が認識することができる照明装置及び照明器具を提供することにある。
【課題を解決するための手段】
【０００７】
請求項１の発明は、供給される電力に応じて光出力が変化する電気的な光源に電力を供給して点灯させる点灯部と、前記光源の光が照射される面の照度を検出する照度検出部と、照度検出部によって検出される照度の目標値とすべき目標照度の設定の指示を受け付ける指示入力部と、指示入力部に受け付けられた指示に基いて目標照度を決定するとともに、照度検出部によって検出される照度を前記目標照度とするように点灯部を制御する制御部とを備え、制御部は、前記光源のみによって実現可能な照度の最高値である上限照度よりも目標照度を高くするような指示が指示入力部に入力された場合、目標照度を上限照度とすることを特徴とする。
【０００８】
この発明によれば、使用者が目標照度として設定しようとした照度が上限照度よりも高い場合には、上記の照度よりも低い上限照度が新たな目標照度とされるから、新たな目標照度に従った制御が開始された後の照度が、目標照度として設定しようとした上記の照度よりも低くなることで、使用者は設定しようとした目標照度が上限照度よりも高いことを認識することができる。また、目標照度が上限照度よりも高くなることがないから、外光が存在しないときにも確実に照度を目標照度に維持することができる。
【０００９】
請求項２の発明は、供給される電力に応じて光出力が変化する電気的な光源に電力を供給して点灯させる点灯部と、前記光源の光が照射される面の照度を検出する照度検出部と、照度検出部によって検出される照度の目標値とすべき目標照度の設定の指示を受け付ける指示入力部と、指示入力部に受け付けられた指示に基いて目標照度を決定するとともに、照度検出部によって検出される照度を前記目標照度とするように点灯部を制御する制御部とを備え、前記光源のみによって実現可能な照度の最高値である上限照度よりも目標照度を高くするような指示が指示入力部に入力されたときに所定のエラー音を発生させるエラー音発生部を備えることを特徴とする。
【００１０】
この発明によれば、使用者は、エラー音により、設定しようとした目標照度が上限照度よりも高いことを認識することができる。
【００１１】
請求項３の発明は、供給される電力に応じて光出力が変化する電気的な光源に電力を供給して点灯させる点灯部と、前記光源の光が照射される面の照度を検出する照度検出部と、照度検出部によって検出される照度の目標値とすべき目標照度の設定の指示を受け付ける指示入力部と、指示入力部に受け付けられた指示に基いて目標照度を決定するとともに、照度検出部によって検出される照度を前記目標照度とするように点灯部を制御する制御部とを備え、前記光源のみによって実現可能な照度の最高値である上限照度よりも目標照度を高くするような指示が指示入力部に入力されたときに視覚的に報知するエラー表示部を備えることを特徴とする。
【００１２】
この発明によれば、使用者は、エラー表示部の表示により、設定しようとした目標照度が上限照度よりも高いことを認識することができる。
【００１３】
請求項４の発明は、請求項１〜３のいずれかの発明において、前記光源の光出力が最大となったときに所定の最大出力報知音を発生させる最大出力報知音発生部を備えることを特徴とする。
【００１４】
請求項５の発明は、請求項１〜４のいずれかの発明において、制御部は、目標照度が設定される度に、目標照度の設定の指示が指示入力部に入力された時点での前記光源の光出力を設定時光出力として保持するものであって、前記光源の光出力が設定時光出力を上回ったときに所定の光出力超過音を発生させる光出力超過音発生部を備えることを特徴とする。
【００１５】
請求項６の発明は、請求項１〜５のいずれかの発明において、前記光源の光出力が最大となったときに視覚的に報知する最大出力表示部を備えることを特徴とする。
【００１６】
請求項７の発明は、請求項１〜６のいずれかの発明において、制御部は、目標照度が設定される度に、目標照度の設定の指示が指示入力部に入力された時点での前記光源の光出力を設定時光出力として保持するものであって、前記光源の光出力が設定時光出力を上回ったときに視覚的に報知する光出力超過表示部を備えることを特徴とする。
【００１７】
請求項８の発明は、請求項１〜７のいずれかの発明において、指示入力部は、外部から送信され目標照度の設定を指示するワイヤレス信号を受信するものであることを特徴とする。
【００１８】
請求項９の発明は、請求項１〜８のいずれか１項に記載の照明装置と、照明装置を保持する器具本体とを備えることを特徴とする。
【発明の効果】
【００１９】
請求項１の発明によれば、使用者が目標照度として設定しようとした照度が上限照度よりも高い場合には、上記の照度よりも低い上限照度が新たな目標照度とされるから、新たな目標照度に従った制御が開始された後の照度が、目標照度として設定しようとした上記の照度よりも低くなることで、使用者は設定しようとした目標照度が上限照度よりも高いことを認識することができる。また、目標照度が上限照度よりも高くなることがないから、外光が存在しないときにも確実に照度を目標照度に維持することができる。
【００２０】
請求項２の発明によれば、点灯部が点灯させる光源のみによって実現可能な照度の最高値である上限照度よりも目標照度を高くするような指示が指示入力部に入力されたときに所定のエラー音を発生させるエラー音発生部を備えるので、使用者は、エラー音により、設定しようとした目標照度が上限照度よりも高いことを認識することができる。
【００２１】
請求項３の発明によれば、点灯部が点灯させる光源のみによって実現可能な照度の最高値である上限照度よりも目標照度を高くするような指示が指示入力部に入力されたときに視覚的に報知するエラー表示部を備えるので、使用者は、エラー表示部の表示により、設定しようとした目標照度が上限照度よりも高いことを認識することができる。
【発明を実施するための最良の形態】
【００２２】
以下、本発明を実施するための最良の形態について、図面を参照しながら説明する。
【００２３】
（実施形態１）
本実施形態の照明装置１は、図２に示すように、供給される電力に応じて光出力が変化する電気的な光源に電力を供給して点灯させる点灯部１１と、前記光源の光が照射される床面や机上面等の面（以下、「被照面」と呼ぶ。）の照度を検出する照度検出部１２と、外部からの各種の指示の入力を受け付ける指示入力部１３と、照度検出部１２に検出された照度や指示入力部１３に受け付けられた指示に応じて点灯部１１を制御する制御部１４とを備える。
【００２４】
点灯部１１は、制御部１４から入力され光源の光出力を指示する調光信号に応じて、光源に供給する電力を変化させる。調光信号は例えば、点灯部１１が点灯させる光源（以下、単に「電気的光源」と呼ぶ。）の定格点灯時の光出力（すなわち最大の光出力）に対する、指示する光出力の比（以下、「調光比」と呼ぶ。）に応じたデューティ比のＰＷＭ信号である。電気的光源としては、例えば蛍光灯や白熱灯を用いることができる。電気的光源として蛍光灯を用いる場合、点灯部１１としては、入力される調光信号に応じて電気的光源への出力電力の周波数を変化させることにより電気的光源の光出力を変化させる周知の電子安定器を用いることができる。また、電気的光源として白熱灯を用いる場合、点灯部１１としては、入力される調光信号に応じた位相制御により電気的光源の光出力を変化させる周知の回路を用いることができる。
【００２５】
照度検出部１２は、例えばＣｄＳやフォトダイオードのように入射した光の量に応じた電気信号を生成する周知の受光素子を有し、この受光素子に入射した光量が多いほど電圧値が高い直流電圧である照度検出電圧を制御部１４へ出力するものである。照度検出部１２の受光素子は、電気的光源から出射して被照面で反射された光が入射し且つ電気的光源から直接には光が入射しない位置に配置される。
【００２６】
指示入力部１３は、指示入力部１３は、手動操作を受け付ける周知の押釦スイッチやディップスイッチのような素子を用いて構成してもよいし、ワイヤレス信号を受信する周知の受信回路で構成してもよい。上記のワイヤレス信号の媒体としては赤外光や電波を用いることができ、いずれの場合にも受信回路は周知技術で実現可能であるので詳細な図示並びに説明は省略する。指示入力部１３がワイヤレス信号を受信するものである場合、指示入力部１３への指示の入力には、操作入力を受け付けるとともに受け付けられた操作入力に応じたワイヤレス信号を送信する周知のリモコン装置ＲＣ（図４参照）が用いられる。
【００２７】
制御部１４は、例えば、プログラムが格納されたメモリを有して該プログラムに従って動作するマイコンを備える。
【００２８】
次に、本実施形態の動作を説明する。
【００２９】
制御部１４は、指示入力部１３に入力された指示に応じた光出力で電気的光源を点灯させるように点灯部１１を制御する手動調光モードと、照度検出部１２が出力する照度検出電圧を所定の目標照度電圧とするように点灯部１１をフィードバック制御することによって被照面照度を一定とする自動調光モードとのいずれかの動作モードに、指示入力部１３に入力された指示に応じて切換可能となっている。手動調光モードでの動作については、周知技術で実現可能であるので説明は省略する。
【００３０】
自動調光モードで動作させる前に、予め、被照面照度が電気的光源のみによって実現可能な範囲での最高値（請求項における上限照度）であるときの照度検出電圧である上限照度電圧を制御部１４に記憶させる。すなわち、使用者は、まず、外光が完全に遮断された状態で、上限照度の設定の指示を指示入力部１３に入力すればよい。指示入力部１３に上限照度の設定の指示が入力されると、制御部１４は、電気的光源を定格電力で点灯（定格点灯）させた状態で、照度検出電圧を上限照度電圧として記憶する。ここで、照度検出部１２が出力する照度検出電圧と実際の被照面照度との関係は、被照面の反射率や、照度検出部１２の受光素子と被照面との距離などに依存するので、上記のような上限照度電圧の設定は実際に自動調光モードでの動作が行われる環境下で行う必要がある。
【００３１】
自動調光モードで動作させるには、さらに、自動調光モードにおいて照度検出電圧の目標値とされる目標照度電圧を設定する必要がある。目標照度電圧を設定するには、使用者は、手動調光モード中に所望の被照面照度が得られている状態で、目標照度の設定の指示を指示入力部１３に入力すればよい。指示入力部１３に目標照度の設定の指示が入力されると、制御部１４は、照度検出部１２から照度検出電圧を得て設定時照度電圧として記憶するとともに、設定時照度電圧を上限照度電圧と比較する。そして、設定時照度電圧が上限照度電圧以下であれば、設定時照度電圧を以後の目標照度電圧とする。つまり、目標照度として指示された照度が上限照度以下であれば、指示通りの照度を目標照度とする。一方、設定時照度電圧が上限照度電圧を上回っていれば、上限照度電圧を以後の目標照度電圧とする。つまり、目標照度として指示された照度が上限照度を上回っていれば、指示された照度を破棄して上限照度を目標照度とする。
【００３２】
本実施形態の動作の一例を図１に示す。図１において、縦軸は検出照度であり、横軸は電気的光源の光出力を示す。また、直線ａ０〜ａ２はそれぞれ電気的光源の光出力と検出照度との関係を示し、直線ａ０は外光が存在しない状態を示し、直線ａ１，ａ２は外光のみによる照度（つまり電気的光源を消灯させたときの検出照度）がそれぞれ異なる照度Ｌ１，Ｌ２である状態を示す。
【００３３】
上記構成によれば、図１に点Ａｓで示すように指示入力部１３に目標照度の設定の指示が入力されたときの被照面照度（以下、「設定時照度」と呼ぶ。）Ｌｓが上限照度Ｌｕよりも高いときには目標照度Ｌａを上限照度Ｌｕとするから、目標照度Ｌａの設定後に自動調光モードが開始される際には照度が設定時照度Ｌｓから上限照度Ｌｕに低下することにより、使用者は、目標照度Ｌａとして設定しようとした設定時照度Ｌｓが上限照度Ｌｕよりも高かったことを認識することができる。
【００３４】
また、目標照度Ｌａが上限照度Ｌｕを上回ることがないから、外光が図１のＬ２，Ｌ１，０といったように低下しても、図１の点Ａ２，点Ａ１，点Ａ０といったように検出照度（被照面照度）を目標照度Ｌａに維持することができる。ここで、調光比を１００％にしても目標照度Ｌａが達成されない可能性がある場合、自動調光モード中に検出照度が目標照度Ｌａを下回っていたとき、制御部１４はさらに調光比の上昇が可能か（つまり調光比が１００％に達しているか）否かを判定する必要があるが、本実施形態では目標照度Ｌａが必ず上限照度Ｌｕ以下となることにより、検出照度が目標照度Ｌａを下回っていれば必ず調光比の上昇が可能ということになるから、上記のような判定は不要となり、制御部１４にかかる負荷が軽減されている。
【００３５】
（実施形態２）
本実施形態の基本構成は実施形態１と共通であるので、共通する部分については同じ符号を付して説明を省略する。
【００３６】
本実施形態の照明装置１は、図３及び図４に示すように、目標照度の設定時、設定時照度が上限照度を上回っていた場合に制御部１４によって制御されて使用者に対して報知を行う報知部１５を備える。
【００３７】
また、本実施形態においては、目標照度の設定時に設定時照度と上限照度との比較を行わずに、設定時照度がそのまま目標照度とされるように、すなわち設定時照度電圧がそのまま目標照度電圧とされるようにしてもよい。
【００３８】
図４の例において、制御部１４は、集積回路で構成された中央制御部１４ａと、中央制御部１４ａの動作用のクロック信号を生成するクロック発振部１４ｂと、中央制御部１４ａによって制御されて点灯部１１へ出力するための調光信号を生成する調光信号生成部１４ｃと、報知部１５を駆動する報知駆動部１４ｄとを有する。
【００３９】
また、指示入力部１３は、リモコン装置ＲＣから送信される赤外光を媒体としたワイヤレス信号を、フォトダイオードを用いて受信するものとなっている。
【００４０】
さらに、報知部１５は、圧電ブザーＢＺを有して圧電ブザーＢＺが発生させる音によって報知を行うものとなっている。すなわち、報知部１５は請求項におけるエラー音発生部であり、目標照度として指示された設定時照度が上限照度を上回っていたときに報知部１５から発せられる音が請求項におけるエラー音である。
【００４１】
上記構成によれば、目標照度の設定時、目標照度として指示された設定時照度が上限照度を上回っていたときには、報知部１５の報知により、使用者は設定しようとした目標照度が上限照度を上回っていることを認識することができる。
【００４２】
なお、報知部１５が上記のように音による報知を行うものとする代わりに、図５に示すように報知部１５が発光ダイオードＬＥＤを有して発光ダイオードＬＥＤの光により報知を行うものとしてもよい。この場合、報知部１５は請求項におけるエラー表示部となる。
【００４３】
また、図５の例では、指示入力部１３は、手動操作されるスイッチＳＷを用いて構成されている。図５にはスイッチＳＷは１個のみ示しているが、手動操作モードでの調光比の変更やモードの変更等も可能とするためにはスイッチＳＷは複数個必要である。
【００４４】
さらに、自動調光モード中に電気的光源の光出力が最大値となったとき、つまり調光比が１００％に達したときに、制御部１４が報知部１５を制御して調光比が１００％に達したことを報知させるようにしてもよい。目標照度Ｌａが上限照度Ｌｕよりも高くされている状態であれば、上記の報知は、その報知の時点からさらに外光が減少した場合には被照面照度を目標照度Ｌａに維持することができない（つまり被照面照度が低下する）ということを報知するものとなる。ただし、実施形態１のように目標照度Ｌａが上限照度Ｌｕ以下に制限されているならば、上記の報知が行われるのは目標照度Ｌａが上限照度Ｌｕであって且つ外光が存在しないときのみとなる。図４の構成では、報知部１５が請求項における最大出力報知音発生部であり、調光比が１００％に達したときに報知部１５から発せられる音が請求項における最大出力報知音である。また、図５の構成では、報知部１５が請求項における最大出力表示部である。
【００４５】
また、目標照度が設定された時、制御部１４が、点灯部１１が点灯させる電気的光源のその時点での光出力（調光比）も、設定時光出力として保持するようにするとともに、自動調光モード中に電気的光源の光出力が設定時光出力を上回ったとき（つまり、目標照度の設定時よりも外光が減少したとき）に、制御部１４が報知部１５を制御して電気的光源の光出力が設定時光出力を上回ったことを報知させるようにしてもよい。図４の構成では、報知部１５が請求項における光出力超過音発生部であり、調光比が設定時光出力を上回ったときに報知部１５から発せられる音が請求項における光出力超過音である。また、図５の構成では、報知部１５が請求項における光出力超過表示部である。
【００４６】
さらに、図４の構成のように指示入力部１３がワイヤレス信号を受信するものである場合、指示入力部１３においてワイヤレス信号が正しく受信されたときに、制御部１４が報知部１５を制御して報知を行わせてもよい。
【００４７】
ここで、設定時照度が上限照度を上回っていたことの報知と、制御部１４が報知部１５を制御して調光比が１００％に達したことの報知と、電気的光源の光出力が設定時光出力を上回ったことの報知と、指示入力部１３においてワイヤレス信号が正しく受信されたことの報知とは、それぞれ区別することが望ましい。具体的には、図４の構成においては、例えば音の周波数や音の変化のパターン（メロディ等）を報知の種類毎に異ならせることによって区別する。また、図５の構成においては、例えば発光ダイオードＬＥＤの点滅のパターンを報知の種類毎に異ならせることによって区別する。さらに、例えば３原色の発光ダイオードが組み合わされた発光素子のように光色が可変な発光素子を報知部１５に用いる場合には、上記の報知の区別は光色を異ならせることによって行ってもよい。また、図４の例のような音による報知と、図５の例のような視覚的な報知とが同時に行われるようにしてもよい。
【００４８】
上記の各種の照明装置１は、照明装置１を保持する適宜の形状の器具本体（図示せず）とともに照明器具を構成することができる。上記のような器具本体や照明器具は周知技術で実現可能であるので、図示並びに詳細な説明は省略する。
【図面の簡単な説明】
【００４９】
【図１】本発明の実施形態１の動作を示す説明図である。
【図２】同上を示すブロック図である。
【図３】本発明の実施形態２を示すブロック図である。
【図４】同上を示す回路ブロック図である。
【図５】同上の別の例を示す回路ブロック図である。
【図６】照明装置の動作の一例を示す説明図である。
【符号の説明】
【００５０】
１  照明装置
１１  点灯部
１２  照度検出部
１３  指示入力部
１４  制御部
１５  報知部
Ｌａ  目標照度
Ｌｕ  上限照度
【図１】
2010033849.tif 000003
【図２】
2010033849.tif 000004
【図３】
2010033849.tif 000005
【図４】
2010033849.tif 000006
【図５】
2010033849.tif 000007
【図６】
2010033849.tif 000008